(57)【要約】【課題】本発明は、光学式記録ディスクでの空気や水分による腐食及び外部の衝撃による破損をよりよく防止することを目的とする。【解決手段】本発明の光学式記録ディスク内蔵真空パッケージの製造方法は、大気を遮断するフィルムで光学式記録ディスク１２ａを被い、フィルムの内部を減圧し光学式記録ディスク１２ａをフィルムで密封することにより、光学式記録ディスク１２ａを真空パックし光学式記録ディスク内蔵真空パッケージ１ａを製造することを特徴とし、さらに、光学式記録ディスクの一面又は両面とフィルムとの間にガラス板を配置し、フィルムの内部を減圧しガラス板をフィルムで密封することを特徴とする。【選択図】図１
2012022732.tif 000002
【特許請求の範囲】
【請求項１】
大気を遮断するフィルムで光学式記録ディスクを被い、前記フィルムの内部を減圧し前記光学式記録ディスクを前記フィルムで密封することにより、前記光学式記録ディスクを真空パックし光学式記録ディスク内蔵真空パッケージを製造することを特徴とする、光学式記録ディスク内蔵真空パッケージの製造方法。
【請求項２】
前記光学式記録ディスクの一面又は両面と前記フィルムとの間にガラス板を配置し、前記フィルムの内部を減圧し前記ガラス板を前記フィルムで密封することを特徴とする、請求項１に記載の光学式記録ディスク内蔵真空パッケージの製造方法。
【請求項３】
請求項１又は請求項２に記載の光学式記録ディスク内蔵真空パッケージの製造方法で製造された光学式記録ディスク内蔵真空パッケージを、大気を遮断する真空カプセルの内部に格納し、前記真空カプセルの内部を減圧し前記光学式記録ディスク内蔵真空パッケージを前記真空カプセルに密閉することにより、前記光学式記録ディスク内蔵真空パッケージを真空保存することを特徴とする、光学式記録ディスクの真空保存方法。
【請求項４】
前記真空カプセルの内部の真空度は、前記光学式記録ディスク内蔵真空パッケージの内部の真空度より高いことを特徴とする、請求項３に記載の光学式記録ディスクの真空保存方法。
【請求項５】
請求項１又は請求項２に記載の光学式記録ディスク内蔵真空パッケージの製造方法で製造された光学式記録ディスク内蔵真空パッケージと、
大気を遮断し前記光学式記録ディスク内蔵真空パッケージを内部に格納し、内部を減圧され前記光学式記録ディスク内蔵真空パッケージを密閉する真空カプセルと、
を備えることを特徴とする、光学式記録ディスクの真空保存装置。
【請求項６】
前記真空カプセルの内部の真空度は、前記光学式記録ディスク内蔵真空パッケージの内部の真空度より高いことを特徴とする、請求項５に記載の光学式記録ディスクの真空保存装置。
【発明の詳細な説明】
【技術分野】
【０００１】
本発明は、光学式記録ディスクを腐食及び破損することなく長期保存するための技術に関する。
【背景技術】
【０００２】
デジタルデータを長期保存する必要性が近年高まっている。デジタルデータを保存する媒体として、半導体メモリ、磁気式メモリ、光学式記録ディスク及び磁気式記録ディスクなどがあげられる。半導体メモリ及び磁気式メモリなどは、経年劣化を発生させやすいため、デジタルデータの長期保存に適していない。光学式記録ディスク及び磁気式記録ディスクなどは、半導体メモリ及び磁気式メモリなどよりは、デジタルデータの長期保存に適している。
【０００３】
光学式記録ディスクでは、空気や水分による腐食及び外部の衝撃による破損が問題となる。デジタルデータの保存期間が短期間であるときには、これらはあまり問題とならないが、デジタルデータの保存期間が長期間であるときには、これらが大きな問題となる。特許文献１−３では、光学式記録ディスクでの空気や水分による腐食及び外部の衝撃による破損を防止することと関連して、記憶ディスクや記憶媒体用ガラス基板を収納ケースに収納し、収納ケースを真空パックすることが開示されている。
【先行技術文献】
【特許文献】
【０００４】
【特許文献１】特開平１０−２６４９８６号公報
【特許文献２】特開２００９−１７３２９５号公報
【特許文献３】特開２００９−１８７６３０号公報
【発明の概要】
【発明が解決しようとする課題】
【０００５】
しかし、特許文献１−３では、記憶ディスクや記録媒体用ガラス基板を収納ケースから取り出すときに、取り出したい記憶ディスクや記録媒体用ガラス基板の表面が空気や水分にさらされるのみならず、中に残したい記憶ディスクや記録媒体用ガラス基板の表面も空気や水分にさらされる。よって、光学式記録ディスクでの空気や水分による腐食を完全には防止することができない。さらに、特許文献１−３では、隣接する記憶ディスクや記録媒体用ガラス同士を仕切るリブを利用して、記憶ディスクや記録媒体用ガラス基板を緩衝部材などを利用せずにそのまま立て掛けるのみである。よって、光学式記録ディスクでの外部の衝撃による破損を完全には防止することができない。
【０００６】
そこで、前記課題を解決するために、本発明は、光学式記録ディスクでの空気や水分による腐食及び外部の衝撃による破損をよりよく防止することを目的とする。
【課題を解決するための手段】
【０００７】
上記目的を達成するために、大気を遮断するフィルムで光学式記録ディスクを被い、フィルムの内部を減圧し光学式記録ディスクをフィルムで密封することにした。
【０００８】
具体的には、本発明は、大気を遮断するフィルムで光学式記録ディスクを被い、前記フィルムの内部を減圧し前記光学式記録ディスクを前記フィルムで密封することにより、前記光学式記録ディスクを真空パックし光学式記録ディスク内蔵真空パッケージを製造することを特徴とする、光学式記録ディスク内蔵真空パッケージの製造方法である。
【０００９】
この構成によれば、フィルムの内部の真空を破らない限り、光学式記録ディスクでの空気や水分による腐食をよりよく防止することができる。
【００１０】
また、本発明は、前記光学式記録ディスクの一面又は両面と前記フィルムとの間にガラス板を配置し、前記フィルムの内部を減圧し前記ガラス板を前記フィルムで密封することを特徴とする、光学式記録ディスク内蔵真空パッケージの製造方法である。
【００１１】
この構成によれば、光学式記録ディスクでの外部の衝撃による破損をよりよく防止することができるとともに、光学式記録ディスクの一面又は両面へのガラス板の表面テクスチャの写り込みがない。
【００１２】
また、本発明は、光学式記録ディスク内蔵真空パッケージの製造方法で製造された光学式記録ディスク内蔵真空パッケージを、大気を遮断する真空カプセルの内部に格納し、前記真空カプセルの内部を減圧し前記光学式記録ディスク内蔵真空パッケージを前記真空カプセルに密閉することにより、前記光学式記録ディスク内蔵真空パッケージを真空保存することを特徴とする、光学式記録ディスクの真空保存方法である。
【００１３】
この構成によれば、真空カプセルの内部の真空を破ったときでも、フィルムの内部の真空を破らない限り、光学式記録ディスクでの空気や水分による腐食をさらによりよく防止することができる。そして、フィルムは高い空気圧に直接にさらされず、フィルムは高い空気圧による破損を防止することができる。
【００１４】
また、本発明は、前記真空カプセルの内部の真空度は、前記光学式記録ディスク内蔵真空パッケージの内部の真空度より高いことを特徴とする、光学式記録ディスクの真空保存方法である。
【００１５】
この構成によれば、フィルムが内側から外側へと向けて若干膨らむため、光学式記録ディスクのディスク面へのフィルム又はガラス板からの応力が小さくなる。
【００１６】
また、本発明は、光学式記録ディスク内蔵真空パッケージの製造方法で製造された光学式記録ディスク内蔵真空パッケージと、大気を遮断し前記光学式記録ディスク内蔵真空パッケージを内部に格納し、内部を減圧され前記光学式記録ディスク内蔵真空パッケージを密閉する真空カプセルと、を備えることを特徴とする、光学式記録ディスクの真空保存装置である。
【００１７】
この構成によれば、真空カプセルの内部の真空を破ったときでも、フィルムの内部の真空を破らない限り、光学式記録ディスクでの空気や水分による腐食をさらによりよく防止することができる。そして、フィルムは高い空気圧に直接にさらされず、フィルムは高い空気圧による破損を防止することができる。
【００１８】
また、本発明は、前記真空カプセルの内部の真空度は、前記光学式記録ディスク内蔵真空パッケージの内部の真空度より高いことを特徴とする、光学式記録ディスクの真空保存装置である。
【００１９】
この構成によれば、フィルムが内側から外側へと向けて若干膨らむため、光学式記録ディスクのディスク面へのフィルム又はガラス板からの応力が小さくなる。
【発明の効果】
【００２０】
本発明は、光学式記録ディスクでの空気や水分による腐食及び外部の衝撃による破損をよりよく防止することができる。
【図面の簡単な説明】
【００２１】
【図１】本発明の第１の光学式記録ディスク内蔵真空パッケージを示す図である。
【図２】本発明の第２の光学式記録ディスク内蔵真空パッケージを示す図である。
【図３】本発明の光学式記録ディスクの真空保存装置を示す断面図である。
【図４】本発明の光学式記録ディスクの真空保存状態を示す図である。
【発明を実施するための形態】
【００２２】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００２３】
（光学式記録ディスク内蔵真空パッケージ）
図１は、本発明の第１の光学式記録ディスク内蔵真空パッケージを示す図である。図１（ａ）は、光学式記録ディスク内蔵真空パッケージの平面図を示し、図１（ｂ）は、光学式記録ディスク内蔵真空パッケージの矢視Ｘ−Ｘ断面図を示す。光学式記録ディスク内蔵真空パッケージ１ａは、真空パック容器１１ａ及び光学式記録ディスク１２ａから構成されている。図１（ｂ）では、真空パック容器１１ａの大きさ及び光学式記録ディスク１２ａの直径と比較して、光学式記録ディスク１２ａの厚さが実寸よりやや誇張して示されている。
【００２４】
真空パック容器１１ａは、空気や水分などの大気を遮断するフィルムで、光学式記録ディスク１２ａを被う。フィルムの材料は、光学式記録ディスク１２ａを長期保存することができる程度に空気や水分などの大気を遮断することができ、光学式記録ディスク１２ａのディスク面への表面テクスチャの写り込みを減らすことができることが望ましく、例えばポリエチレンテレフタレート（ＰＥＴ）及びポリエチレン（ＰＥ）の複合材料であるＰＥＴ／ＰＥ、延伸ナイロン（ＯＮ）及びＰＥの複合材料であるＯＮ／ＰＥやアルミ箔複合フィルムなどがあげられ、これらの各材料にＤＬＣ（Ｄｉａｍｏｎｄ−ｌｉｋｅ  Ｃａｒｂｏｎ）をコーティングすることもできる。光学式記録ディスク内蔵真空パッケージ１ａが、後述の真空カプセル２１に格納されるときには、光学式記録ディスク内蔵真空パッケージ１ａが、単体で保存されるときと比較して、フィルムの材料は、空気や水分などの大気を遮断する性能として高い性能を有する必要はなく、例えばＰＥＴ、ＰＥやＯＮなどを利用することができる。フィルムの形状は、光学式記録ディスク１２ａの出し入れの役割を果たし真空パック容器１１ａの内部の真空を確保するシール部１１１ａを有するならば、どのような形状であってもよく、例えば光学式記録ディスク１２ａの形状に合わせた円盤形状や光学式記録ディスク１２ａの周囲に余裕を持たせた矩形形状などがあげられる。
【００２５】
図１に示した光学式記録ディスク内蔵真空パッケージ１ａでは、フィルムの形状は光学式記録ディスク１２ａの周囲に余裕を持たせた矩形形状であり、矩形形状のうち一辺ではシール部１１１ａが設けられ、矩形形状のうち残りの三辺では真空パック容器１１ａは閉じられている。光学式記録ディスク１２ａは、真空パック容器１１ａの内部に収納される。光学式記録ディスク１２ａが収納された真空パック容器１１ａの内部が減圧されることにより、光学式記録ディスク１２ａが真空パック容器１１ａの内部に真空パックされる。図１（ｂ）では、光学式記録ディスク１２ａが真空パック容器１１ａの内部に真空パックされた状態が示されている。光学式記録ディスク１２ａが占める部分においては、ディスク面及びフィルムが密着しており、光学式記録ディスク１２ａが占めない部分においては、フィルム同士が密着している。
【００２６】
図１に示した光学式記録ディスク内蔵真空パッケージ１ａでは、真空パック容器１１ａの内部の真空を破らない限り、光学式記録ディスク１２ａでの空気や水分による腐食をよりよく防止することができる。
【００２７】
図２は、本発明の第２の光学式記録ディスク内蔵真空パッケージを示す図である。図２（ａ）は、光学式記録ディスク内蔵真空パッケージの平面図を示し、図２（ｂ）は、光学式記録ディスク内蔵真空パッケージの矢視Ｙ−Ｙ断面図を示す。光学式記録ディスク内蔵真空パッケージ１ｂは、真空パック容器１１ｂ、光学式記録ディスク１２ｂ及び板状部材１３ｂから構成されている。図２（ｂ）では、真空パック容器１１ｂの大きさ並びに光学式記録ディスク１２ｂ及び板状部材１３ｂの直径と比較して、光学式記録ディスク１２ｂ及び板状部材１３ｂの厚さが実寸よりやや誇張して示されている。
【００２８】
図２に示した光学式記録ディスク内蔵真空パッケージ１ｂが図１に示した光学式記録ディスク内蔵真空パッケージ１ａと相違する部分について以下に説明する。板状部材１３ｂは、光学式記録ディスク１２ｂの両面に接触するように、真空パック容器１１ｂの内部に収納されている。板状部材１３ｂは、光学式記録ディスク１２ｂの一面に接触するように、真空パック容器１１ｂの内部に収納されてもよい。図２（ｂ）では、光学式記録ディスク１２ｂ及び板状部材１３ｂが真空パック容器１１ｂの内部に真空パックされた状態が示されている。光学式記録ディスク１２ｂ及び板状部材１３ｂが占める部分においては、板状部材１３ｂの表面及びフィルムが密着しており、光学式記録ディスク１２ｂ及び板状部材１３ｂが占めない部分においては、フィルム同士が密着している。
【００２９】
板状部材１３ｂの材料は、光学式記録ディスク１２ｂを外部の衝撃による破損から保護することができ、光学式記録ディスク１２ｂのディスク面への表面テクスチャの写り込みを減らすことができることが望ましく、例えばガラスやプラスチックなどがあげられる。板状部材１３ｂの材料は、ガラスであることがより望ましい。ガラスは不織布などとは異なり、表面テクスチャを有さないためである。
【００３０】
板状部材１３ｂの形状は、板状部材１３ｂが占める部分が光学式記録ディスク１２ｂが占める部分を包含することが望ましく、例えば光学式記録ディスク１２ｂの円盤形状に合わせた円盤形状や真空パック容器１１ｂの矩形形状に合わせた矩形形状などがあげられる。板状部材１３ｂの形状は、板状部材１３ｂ及び光学式記録ディスク１２ｂの中心が一致するような円盤形状であることがより望ましい。光学式記録ディスク１２ｂのディスク面への板状部材１３ｂからの応力が、光学式記録ディスク１２ｂのディスク面全体で均一になるためである。
【００３１】
フィルムの材料は、光学式記録ディスク１２ｂを長期保存することができる程度に空気や水分などの大気を遮断することができればよい。板状部材１３ｂが光学式記録ディスク１２ｂの両面に接触するときには、フィルムの材料は光学式記録ディスク１２ｂのディスク面への表面テクスチャの写り込みを減らさなくてもよい。板状部材１３ｂが光学式記録ディスク１２ｂの一面に接触するときには、フィルムの材料は光学式記録ディスク１２ｂのディスク面への表面テクスチャの写り込みを減らすことが望ましい。
【００３２】
図２に示した光学式記録ディスク内蔵真空パッケージ１ｂでは、真空パック容器１１ｂの内部の真空を破らない限り、光学式記録ディスク１２ｂでの空気や水分による腐食をよりよく防止することができる。そして、板状部材１３ｂが光学式記録ディスク１２ｂのディスク面に接触するため、光学式記録ディスク１２ｂでの外部の衝撃による破損をよりよく防止することができる。さらに、板状部材１３ｂがガラスであるならば、光学式記録ディスク１２ｂのディスク面への板状部材１３ｂの表面テクスチャの写り込みがない。
【００３３】
（光学式記録ディスクの真空保存装置）
図３は、本発明の光学式記録ディスクの真空保存装置を示す断面図である。光学式記録ディスクの真空保存装置２は、光学式記録ディスク内蔵真空パッケージ１及び真空カプセル２１から構成されている。光学式記録ディスク内蔵真空パッケージ１は、図１に示した光学式記録ディスク内蔵真空パッケージ１ａ又は図２に示した光学式記録ディスク内蔵真空パッケージ１ｂである。真空カプセル２１は、格納部２１１、開閉部２１２、シール部２１３、排気部２１４及び排気弁２１５から構成されている。
【００３４】
格納部２１１は、筒状形状を有しており、筒状形状の一端は閉じられており、筒状形状の他端は開かれている。格納部２１１は、筒状形状の軸方向に、光学式記録ディスク内蔵真空パッケージ１を配置して収納する。格納部２１１の材料は、光学式記録ディスク１２ａ、１２ｂを長期保存することができる程度に空気や水分などの大気を遮断することができ、光学式記録ディスク１２ａ、１２ｂを外部の衝撃による破損から保護することができることが望ましく、例えば強度の高いアクリル材料又はガラス材料や光透過性の低い金属材料などがあげられる。格納部２１１の形状は、光学式記録ディスク内蔵真空パッケージ１を配置して収納することができるのであれば、どのような形状であってもよく、例えば光学式記録ディスク内蔵真空パッケージ１の形状に合わせた、底面が円盤形状や矩形形状などである筒状形状があげられる。
【００３５】
開閉部２１２は、板状形状を有しており、光学式記録ディスク内蔵真空パッケージ１を真空カプセル２１に導入するときに、格納部２１１の上述の他端を開く位置にあり、光学式記録ディスク内蔵真空パッケージ１を真空カプセル２１に保存するときに、格納部２１１の上述の他端を閉じる位置にある。シール部２１３は、光学式記録ディスク内蔵真空パッケージ１を真空カプセル２１に保存するにあたり、開閉部２１２が格納部２１１の上述の他端を閉じる位置にあるときに、格納部２１１及び開閉部２１２の間をシールする。排気部２１４は、開閉部２１２から不図示の真空ポンプへと導く配管である。排気弁２１５は、排気部２１４の途上に配置され、真空カプセル２１の内部の減圧を行うときに開かれ、真空カプセル２１の内部の減圧を中止するときに閉じられる。
【００３６】
図３に示した光学式記録ディスクの真空保存装置２を適用すれば、真空カプセル２１の内部の真空を破ったときでも、真空パック容器１１ａ、１１ｂの内部の真空を破らない限り、光学式記録ディスク１２ａ、１２ｂでの空気や水分による腐食をさらによりよく防止することができる。そして、真空パック容器１１ａ、１１ｂは高い空気圧に直接にさらされず、真空パック容器１１ａ、１１ｂは高い空気圧による破損を防止することができる。
【００３７】
図４は、本発明の光学式記録ディスクの真空保存状態を示す図である。図４（ａ）は、真空カプセル２１の内部の真空度が、光学式記録ディスク内蔵真空パッケージ１ｂの内部の真空度以下であるときの真空保存状態を示し、図４（ｂ）は、真空カプセル２１の内部の真空度が、光学式記録ディスク内蔵真空パッケージ１ｂの内部の真空度より高いときの真空保存状態を示す。
【００３８】
図４（ｂ）の真空保存状態では、図４（ａ）の真空保存状態と比較して、真空パック容器１１ｂが内側から外側に向けて若干膨らんでいる。よって、図４（ｂ）の真空保存状態では、図４（ａ）の真空保存状態と比較して、光学式記録ディスク１２ｂは板状部材１３ｂからの応力を図４（ｂ）の左右方向に小さくしか受けない。ただし、図４（ｂ）の真空保存状態でも、図４（ａ）の真空保存状態と同様に、光学式記録ディスク１２ｂは板状部材１３ｂに対して図４（ｂ）の上下方向に移動することができない。ここで、図４（ｂ）の真空保存状態では、光学式記録ディスク１２ｂは板状部材１３ｂからの応力を図４（ｂ）の左右方向に小さくしか受けないことを示すために、図４（ｂ）では、光学式記録ディスク１２ｂ及び板状部材１３ｂの間に空隙をやや誇張して示している。
【００３９】
真空カプセル２１の内部の真空度が光学式記録ディスク内蔵真空パッケージ１ａ、１ｂの内部の真空度より高いときに、真空パック容器１１ａ、１１ｂが内側から外側に向けて若干膨らむことは、図２に示した光学式記録ディスク内蔵真空パッケージ１ｂのみならず、図１に示した光学式記録ディスク内蔵真空パッケージ１ａ及び板状部材１３ｂが光学式記録ディスク１２ｂの一方に接触している光学式記録ディスク内蔵真空パッケージ１ｂにおいても同様である。
【００４０】
真空カプセル２１の内部の真空度を光学式記録ディスク内蔵真空パッケージ１ａ、１ｂの内部の真空度より高くすれば、真空パック容器１１ａ、１１ｂが内側から外側へと向けて若干膨らむ。よって、板状部材１３ｂが光学式記録ディスク１２ｂに接触するときには、光学式記録ディスク１２ｂのディスク面への板状部材１３ｂからの応力が小さくなり、光学式記録ディスク１２ｂが過度の応力を受けることを防止することができる。そして、フィルムが光学式記録ディスク１２ａ、１２ｂに接触するときには、光学式記録ディスク１２ａ、１２ｂのディスク面へのフィルムからの応力が小さくなり、光学式記録ディスク１２ａ、１２ｂのディスク面へのフィルムの表面テクスチャの写り込みを低減することができる。
【００４１】
（光学式記録ディスクの真空保存方法）
まず、図１に示した光学式記録ディスク内蔵真空パッケージ１ａの製造方法について説明する。まず、シール部１１１ａを開き、大気を遮断するフィルムで光学式記録ディスク１２ａを被う。次に、シール部１１１ａを閉じ、フィルムの内部を減圧し光学式記録ディスク１２ａをフィルムで密封する。このように、光学式記録ディスク１２ａを真空パックし、図１（ｂ）のように光学式記録ディスク内蔵真空パッケージ１ａを製造する。
【００４２】
次に、図２に示した光学式記録ディスク内蔵真空パッケージ１ｂの製造方法について説明する。まず、シール部１１１ｂを開き、大気を遮断するフィルムで光学式記録ディスク１２ｂを被い、光学式記録ディスク１２ｂの一面又は両面とフィルムとの間に板状部材１３ｂを配置する。次に、シール部１１１ｂを閉じ、フィルムの内部を減圧し光学式記録ディスク１２ｂ及び板状部材１３ｂをフィルムで密封する。このように、光学式記録ディスク１２ｂ及び板状部材１３ｂを真空パックし、図２（ｂ）のように光学式記録ディスク内蔵真空パッケージ１ｂを製造する。
【００４３】
次に、図１に示した光学式記録ディスク内蔵真空パッケージ１ａ又は図２に示した光学式記録ディスク内蔵真空パッケージ１ｂを真空カプセル２１の内部に真空保存する光学式記録ディスクの真空保存方法について説明する。まず、光学式記録ディスク内蔵真空パッケージ１ａ、１ｂを、大気を遮断する真空カプセル２１の内部に格納する。ここで、光学式記録ディスク内蔵真空パッケージ１ａ、１ｂを格納部２１１に導入できるように、開閉部２１２を開いている。
【００４４】
次に、真空カプセル２１の内部を減圧し光学式記録ディスク内蔵真空パッケージ１ａ、１ｂを真空カプセル２１に密閉することにより、光学式記録ディスク内蔵真空パッケージ１ａ、１ｂを真空保存する。ここで、光学式記録ディスク内蔵真空パッケージ１ａ、１ｂを格納部２１１に保存できるように、開閉部２１２を閉じておりシール部２１３によるシールを行っている。そして、まず、排気弁２１５を開き、排気部２１４を介した不図示の真空ポンプによる減圧を行ない、次に、排気弁２１５を閉じ、排気部２１４を介した不図示の真空ポンプによる減圧を中止する。不図示の真空ポンプによる減圧は、真空カプセル２１の内部の真空度が所望の真空度に到達するまで行なわれる。
【産業上の利用可能性】
【００４５】
本発明に係る光学式記録ディスク内蔵真空パッケージの製造方法、光学式記録ディスクの真空保存方法及び光学式記録ディスクの真空保存装置は、ＣＤ、ＤＶＤ及びＭＯディスクなどのあらゆる光学式記録ディスクの長期保存に適用することができる。
【符号の説明】
【００４６】
１、１ａ、１ｂ：光学式記録ディスク内蔵真空パッケージ
２：光学式記録ディスクの真空保存装置
１１ａ、１１ｂ：真空パック容器
１２ａ、１２ｂ：光学式記録ディスク
１３ｂ：板状部材
２１：真空カプセル
１１１ａ、１１１ｂ：シール部
２１１：格納部
２１２：開閉部
２１３：シール部
２１４：排気部
２１５：排気弁
【図１】
2012022732.tif 000003
【図２】
2012022732.tif 000004
【図３】
2012022732.tif 000005
【図４】
2012022732.tif 000006